(57)【要約】【課題】１回の走査で可視領域内波長の光に基づいた撮像画像データと可視領域外波長の光に基づいた撮像画像データとの双方を生成できる画像読取装置を提供すること。【解決手段】本画像読取装置１０では、搬送手段１８による撮像対象媒体Ｐの搬送状態で、第１光源１２と第２光源１４とが交互に点灯されると、可視領域内波長の光である第１光の可視領域内波長の反射光に基づいた可視光データ群と、可視領域外波長の光である第２光の可視領域内波長の反射光に基づいた可視光外データ群とが交互に生成される。この結果、１回の走査で、複数の可視光データ群を集合して第１光に基づく撮像手段１６によって撮像された撮像対象媒体Ｐの第１画像データが生成されると共に、複数の可視光外データ群を集合して第２光に基づく撮像手段１６によって撮像された撮像対象媒体Ｐの第２画像データが生成される。【選択図】        図３
2009194519.tif 000002
【特許請求の範囲】
【請求項１】
可視領域内波長の第１光を撮像対象媒体に照射する第１光源と、
可視領域外波長の第２光を前記撮像対象媒体に照射する第２光源と、
前記撮像対象媒体からの前記可視領域内波長の反射光に基づいて、前記撮像対象媒体を撮像する撮像手段と、
前記撮像対象媒体を前記撮像手段へ向けて搬送する搬送手段と、
前記第１光のみを前記撮像対象媒体に照射したときに前記撮像対象媒体において反射された前記第１光に対応する前記可視領域内波長の反射光に基づいて、前記撮像手段によって撮像された前記撮像対象媒体の一部に対応する可視光データ群を生成し、前記生成された可視光データ群を複数集合して前記撮像対象媒体に対応する第１画像データ、あるいは、前記第２光のみを前記撮像対象媒体に照射したときに前記撮像対象媒体において反射された前記第２光に対応する前記可視領域内波長の反射光に基づいて、前記撮像手段によって撮像された前記撮像対象媒体の一部に対応する可視光外データ群を生成し、前記生成された可視光外データ群を複数集合して前記撮像対象媒体に対応する第２画像データの少なくとも何れか一方を生成する画像データ生成手段と、
を備え、
前記撮像対象媒体を前記搬送手段によって搬送している状態で、前記第１光源と前記第２光源とを交互に点灯する、
ことを特徴とする画像読取装置。
【請求項２】
前記第１光源は、Ｒ色光を照射するＲＬＥＤと、Ｇ色光を照射するＧＬＥＤと、Ｂ色光を照射するＢＬＥＤとで構成され、
前記第２光源は、紫外線を照射する紫外線ＬＥＤで構成され、
前記撮像手段は、主走査方向に１列に配列される複数の撮像素子から構成される１つのラインセンサであり、
各ＬＥＤを１つずつ順番に点灯し、
前記画像データ生成手段は、前記ＲＬＥＤの点灯時に前記ラインセンサによって撮像された前記Ｒ色光に対応するＲラインデータと、前記ＧＬＥＤの点灯時に前記ラインセンサによって撮像された前記Ｇ色光に対応するＧラインデータと、前記ＢＬＥＤの点灯時に前記ラインセンサによって撮像された前記Ｂ色光に対応するＢラインデータとから構成される前記可視光データ群を生成し、前記紫外線ＬＥＤの点灯時に前記ラインセンサによって撮像された前記紫外線に対応する前記可視光外データ群を生成する、
ことを特徴とする請求項１に記載の画像読取装置。
【請求項３】
前記第１光源は、白色光を照射する白色ＬＥＤで構成され、
前記第２光源は、紫外線を照射する紫外線ＬＥＤで構成され、
前記撮像手段は、それぞれ主走査方向に１列に配列される複数の撮像素子から構成され、Ｒ色光のみに反応するＲラインセンサと、Ｇ色光のみに反応するＧラインセンサと、Ｂ色光のみに反応するＢラインセンサとから構成される３ラインセンサとされ、
前記画像データ生成手段は、前記白色ＬＥＤの点灯時に前記Ｒラインセンサによって撮像された前記Ｒ色光に対応するＲラインデータと、前記Ｇラインセンサによって撮像された前記Ｇ色光に対応するＧラインデータと、前記Ｂラインセンサによって撮像された前記Ｂ色光に対応するＢラインデータとから構成される可視光データ群を生成し、前記紫外線ＬＥＤの点灯時に前記Ｒラインセンサによって撮像された前記Ｒ色光に対応するＲラインデータと、前記Ｇラインセンサによって撮像された前記Ｇ色光に対応するＧラインデータと、前記Ｂラインセンサによって撮像された前記Ｂ色光に対応するＢラインデータとから構成される可視光外データ群を生成する、
ことを特徴とする請求項１に記載の画像読取装置。
【請求項４】
前記第１画像データの補正時に基準となる第１白基準データを更新するために用いられ、前記第１光源の点灯時に前記可視領域内波長の光を前記撮像手段へ反射する白基準板を備え、
前記白基準板は、前記第２画像データの補正時に基準となる第２白基準データの更新時に、前記第２光源が点灯することで前記可視領域内波長の光を前記撮像手段へ反射する、
ことを特徴とする請求項１乃至請求項３の何れか１項に記載の画像読取装置。
【発明の詳細な説明】
【技術分野】
【０００１】
本発明は、撮像対象媒体の画像を読み取る画像読取装置に関するものである。
【背景技術】
【０００２】
原稿（撮像対象媒体）に記録されている画像を読み取る画像読取装置が提案されており、その例が下記特許文献１〜３に開示されている。
【０００３】
これらの特許文献１〜３に開示されている画像読取装置では、可視領域内波長の光である可視光が原稿に照射されてこの可視光に基づく可視領域内波長の反射光が第１の撮像手段によって撮像されると、上記の可視領域内波長の光に基づいた撮像画像データが生成される。また、これに加えて、紫外線等の可視領域外波長の光が原稿に照射されてこの紫外線等の光に基づく可視領域内波長の反射光が第２の撮像手段によって撮像されると、上記の可視領域外波長の光に基づいた撮像画像データが生成される。このように、可視領域内波長の光に基づいた撮像画像データと可視領域外波長の光に基づいた撮像画像データとの双方を生成できる。
【０００４】
【特許文献１】特許第３２２７２３１号公報
【特許文献２】特許第３２９２３９２号公報
【特許文献３】特開平１１−２０５５３８号公報
【発明の開示】
【発明が解決しようとする課題】
【０００５】
しかしながら、特許文献１〜３に開示されている画像読取装置では、可視領域内波長の光に基づいた撮像画像データと可視領域外波長の光に基づいた撮像画像データとの双方を生成するために、原稿の撮像対象位置を副走査方向に沿って往復移動させなければならない。特許文献１〜３に開示されている画像読取装置は、例えば、撮像手段が原稿を撮像する撮像対象位置を副走査方向に沿った往路で移動させながら可視光を原稿に照射してその反射光で可視領域内波長の光に基づいた撮像画像データを生成すると共に、原稿の撮像対象位置を副走査方向に沿った復路で移動させながら紫外線等を原稿に照射してその反射光で可視領域外波長の光に基づいた撮像画像データを生成しなければならない。このため、原稿から可視領域内波長の光に基づいた撮像画像データと可視領域外波長の光に基づいた撮像画像データとの双方を生成するためには、原稿の撮像対象位置が副走査方向に沿って複数回移動（走査）される必要がある。
【０００６】
本発明は、上記に鑑みてなされたものであって、１回の走査で可視領域内波長の光に基づいた撮像画像データと可視領域外波長の光に基づいた撮像画像データとの双方を生成できる画像読取装置を得ることを目的とする。
【課題を解決するための手段】
【０００７】
上述した課題を解決し、目的を達成するために、本発明は、可視領域内波長の第１光を撮像対象媒体に照射する第１光源と、可視領域外波長の第２光を前記撮像対象媒体に照射する第２光源と、前記撮像対象媒体からの前記可視領域内波長の反射光に基づいて、前記撮像対象媒体を撮像する撮像手段と、前記撮像対象媒体を前記撮像手段へ向けて搬送する搬送手段と、前記第１光のみを前記撮像対象媒体に照射したときに前記撮像対象媒体において反射された前記第１光に対応する前記可視領域内波長の反射光に基づいて、前記撮像手段によって撮像された前記撮像対象媒体の一部に対応する可視光データ群を生成し、前記生成された可視光データ群を複数集合して前記撮像対象媒体に対応する第１画像データ、あるいは、前記第２光のみを前記撮像対象媒体に照射したときに前記撮像対象媒体において反射された前記第２光に対応する前記可視領域内波長の反射光に基づいて、前記撮像手段によって撮像された前記撮像対象媒体の一部に対応する可視光外データ群を生成し、前記生成された可視光外データ群を複数集合して前記撮像対象媒体に対応する第２画像データの少なくとも何れか一方を生成する画像データ生成手段と、を備え、前記撮像対象媒体を前記搬送手段によって搬送している状態で、前記第１光源と前記第２光源とを交互に点灯する、ことを特徴としている。
【０００８】
また、上記画像読取装置において、前記第１光源は、Ｒ色光を照射するＲＬＥＤと、Ｇ色光を照射するＧＬＥＤと、Ｂ色光を照射するＢＬＥＤとで構成され、前記第２光源は、紫外線を照射する紫外線ＬＥＤで構成され、前記撮像手段は、主走査方向に１列に配列される複数の撮像素子から構成される１つのラインセンサであり、各ＬＥＤを１つずつ順番に点灯し、前記画像データ生成手段は、前記ＲＬＥＤの点灯時に前記ラインセンサによって撮像された前記Ｒ色光に対応するＲラインデータと、前記ＧＬＥＤの点灯時に前記ラインセンサによって撮像された前記Ｇ色光に対応するＧラインデータと、前記ＢＬＥＤの点灯時に前記ラインセンサによって撮像された前記Ｂ色光に対応するＢラインデータとから構成される前記可視光データ群を生成し、前記紫外線ＬＥＤの点灯時に前記ラインセンサによって撮像された前記紫外線に対応する前記可視光外データ群を生成する、ことが好ましい。
【０００９】
また、上記画像読取装置において、前記第１光源は、白色光を照射する白色ＬＥＤで構成され、前記第２光源は、紫外線を照射する紫外線ＬＥＤで構成され、前記撮像手段は、それぞれ主走査方向に１列に配列される複数の撮像素子から構成され、Ｒ色光のみに反応するＲラインセンサと、Ｇ色光のみに反応するＧラインセンサと、Ｂ色光のみに反応するＢラインセンサとから構成される３ラインセンサとされ、前記画像データ生成手段は、前記白色ＬＥＤの点灯時に前記Ｒラインセンサによって撮像された前記Ｒ色光に対応するＲラインデータと、前記Ｇラインセンサによって撮像された前記Ｇ色光に対応するＧラインデータと、前記Ｂラインセンサによって撮像された前記Ｂ色光に対応するＢラインデータとから構成される可視光データ群を生成し、前記紫外線ＬＥＤの点灯時に前記Ｒラインセンサによって撮像された前記Ｒ色光に対応するＲラインデータと、前記Ｇラインセンサによって撮像された前記Ｇ色光に対応するＧラインデータと、前記Ｂラインセンサによって撮像された前記Ｂ色光に対応するＢラインデータとから構成される可視光外データ群を生成する、ことが好ましい。
【００１０】
また、上記画像読取装置において、前記第１画像データの補正時に基準となる第１白基準データを更新するために用いられ、前記第１光源の点灯時に前記可視領域内波長の光を前記撮像手段へ反射する白基準板を備え、前記白基準板は、前記第２画像データの補正時に基準となる第２白基準データの更新時に、前記第２光源が点灯することで前記可視領域内波長の光を前記撮像手段へ反射する、ことが好ましい。
【発明の効果】
【００１１】
本発明では、撮像対象媒体が搬送手段によって撮像手段へ向けて搬送されている状態で、第１光源と第２光源とが交互に点灯されると、第１光の可視領域内波長の反射光に基づいた可視光データ群と、第２光の可視領域内波長の反射光に基づいた可視光外データ群とが交互に生成される。そして、交互に複数生成された可視光データ群及び可視光外データ群のうち、可視光データ群を複数集合して撮像対象媒体に対応する第１画像データが生成されると共に、可視光外データ群を複数集合して撮像対象媒体に対応する第２画像データが生成される。以上説明したように、撮像対象媒体に対応する第１画像データと第２画像データとの双方を１回の走査で生成できる。言い換えれば、１回の走査で撮像対象媒体から可視領域内波長の光に基づいた撮像画像データと可視領域外波長の光に基づいた撮像画像データとの双方を生成できるという効果を奏する。
【００１２】
また、本発明では、１つの撮像手段が第１光の反射光と第２光の反射光との双方を撮像する構成であるので、第１光の反射光を撮像する撮像手段と第２光の反射光を撮像する撮像手段との双方を装置に設ける必要がない。このため、装置を小型化できるという効果を奏する。
【００１３】
また、本発明では、ＲＬＥＤと、ＧＬＥＤと、ＢＬＥＤと、紫外線ＬＥＤとの各ＬＥＤが１つずつ順番に点灯することで、Ｒラインデータと、Ｇラインデータと、Ｂラインデータと、紫外線ラインデータとの各ラインデータが１つずつ順番に生成される。この結果、上記の各ＬＥＤの点灯１周期につき、前述の４つのラインデータが生成される。連続する４つのラインデータは、可視光データ群を構成するＲ、Ｇ、Ｂ３つのラインデータと可視光外データ群である紫外線データ群を構成する１つの紫外線ラインデータとなる。言い換えると、可視光データ群を構成し互いに連続するＲ、Ｇ、Ｂ３つのラインデータは、紫外線データ群を構成する１つの紫外線ラインデータを間に挟んで繰り返し生成される。このため、各ＬＥＤの点灯１周期あたりに生成される４つのラインデータの中で紫外線データ群を構成する紫外線ラインデータの占める割合を最小にして、例えば各ＬＥＤの点灯１周期あたりに生成されるラインデータのうち可視光データ群を構成するＲ、Ｇ、Ｂ３種類のラインデータの占める割合と紫外線データ群を構成する１種類の紫外線ラインデータの占める割合とが同じである場合と比べて、可視光データ群を複数集合して生成される第１画像データの撮像対象媒体に対する再現精度を高くすることができるという効果を奏する。
【００１４】
また、本発明では、白色光の反射光の撮像に従来から使用されているラインセンサを紫外線の蛍光の撮像に使用できる。このため、白色用のみの光源を持つ撮像装置に対して、紫外線用の光源を増やすだけで撮像手段の部品点数を増やすことなく第１画像データと第２画像データとの双方を１回の走査で生成できる。また、例えば、第１光源の３つの各ＬＥＤと第２光源の紫外線ＬＥＤとを１つのユニットで構成できる。以上のような理由から、光源と撮像手段とで構成されているユニットを２つ用いる場合と比べて、部品点数の増加を抑制できるという効果を奏する。
【００１５】
また、本発明では、紫外線ＬＥＤの点灯時に３ラインセンサにより撮像されると、可視光外データである紫外線データ群がＲラインデータと、Ｇラインデータと、Ｂラインデータとから構成される。したがって、紫外線データ群は、フルカラーのラインデータとなるので、可視光データ群を複数集合して生成される第２画像データをフルカラーの画像データとすることができるという効果を奏する。
【００１６】
また、本発明では、白色光の反射光の撮像に従来から使用されているＲ、Ｇ、Ｂ各色に対応した３つのラインセンサをそのまま紫外線の蛍光の撮像に使用できる。このため、白色用のみの光源を持つ撮像装置に対して、紫外線用の光源を増やすだけで撮像手段の部品点数を増やすことなく第１画像データと第２画像データとの双方を１回の走査で生成できる。したがって、光源と撮像手段とで構成されているユニットを２つ用いる場合と比べて、部品点数の増加を抑制できるという効果を奏する。
【００１７】
また、本発明では、白基準板は、例えば白色光が照射されると、第１画像データの補正時に基準となる第１白基準データの更新に用いることができると共に、例えば紫外線が照射されると、第２画像データの補正時に基準となる第２白基準データの更新に用いることができるという効果を奏する。
【発明を実施するための最良の形態】
【００１８】
以下に、本発明に係る画像読取装置１０の実施の形態を図面に基づいて詳細に説明する。なお、以下の各実施の形態によりこの発明が限定されるものではない。
【００１９】
〔実施の形態１〕
以下、本発明の実施の形態１に係る画像読取装置１０について説明する。図１には、実施の形態１に係る画像読取装置１０の概略が模式的な断面図にて示されており、図２には、この画像読取装置１０の主要な構成がブロック図にて示されている。
【００２０】
画像読取装置１０は、第１光源１２と、第２光源１４と、撮像手段１６と、搬送手段１８と、画像データ生成手段としての制御基板２０と、白基準板２１と、を備えている。
【００２１】
第１光源１２は、可視領域内波長の第１光を撮像対象媒体Ｐに照射するものである。本実施の形態では、第１光源１２が、Ｒ色光を照射するＲＬＥＤ１２ａと、Ｇ色光を照射するＧＬＥＤ１２ｂと、Ｂ色光を照射するＢＬＥＤ１２ｃとで構成されている。
【００２２】
また、第２光源１４は、可視領域外波長の第２光を撮像対象媒体Ｐに照射するものである。本実施の形態では、第２光源１４が、紫外線を照射する紫外線ＬＥＤ（以下、ＵＶＬＥＤという）１４ａで構成されている。なお、上記の可視領域外波長の第２光を紫外線としたときには、その撮像対象媒体Ｐからの可視領域内波長の反射光は蛍光となる。
【００２３】
本実施の形態では、ＲＬＥＤ１２ａと、ＧＬＥＤ１２ｂと、ＢＬＥＤ１２ｃと、ＵＶＬＥＤ１４ａとが、それぞれ制御基板２０に接続されており、これらの各ＬＥＤ１２ａ、１２ｂ、１２ｃ、１４ａは、電力を制御基板２０から供給されて点灯する。具体的には、各ＬＥＤ１２ａ、１２ｂ、１２ｃ、１４ａは電力を制御基板２０から供給されると、ＲＬＥＤ１２ａが可視領域内波長の第１光としてのＲ色光を撮像対象媒体Ｐに照射し、ＧＬＥＤ１２ｂが第１光としてのＧ色光を撮像対象媒体Ｐに照射し、ＢＬＥＤ１２ｃが第１光としてのＢ色光を撮像対象媒体Ｐに照射し、ＵＶＬＥＤ１４ａが可視領域外波長の第２光としての紫外線を撮像対象媒体Ｐに照射する。本実施の形態では、Ｒ色光の波長は略６２０ｎｍ〜略６４０ｎｍの範囲内の波長とされ、Ｇ色光の波長は略５１０ｎｍ〜略５４０ｎｍの範囲内の波長とされ、Ｂ色光の波長は略４５０ｎｍ〜略４８０ｎｍの範囲内の波長とされ、そして、紫外線の波長は、略２００ｎｍ〜略３８０ｎｍの範囲内の波長とされており、この紫外線の波長は、例えば、３６０ｎｍとされている。
【００２４】
また、撮像手段１６は、撮像対象媒体Ｐからの上記の可視領域内波長の反射光に基づいて、撮像対象媒体Ｐを撮像するものである。本実施の形態では、撮像手段１６としてラインセンサである撮像センサ１６ａが用いられる。撮像センサ１６ａは、可視領域内波長の光に反応して階調に応じたアナログ値を出力する例えばＣＭＯＳ（Ｃｏｍｐｌｅｍｅｎｔａｒｙ  ＭＯＳ）であり、撮像対象媒体Ｐの搬送方向と直交する主走査方向に１列に配列される複数の撮像素子から構成されている。
【００２５】
撮像センサ１６ａは、前述のＲＬＥＤ１２ａと、ＧＬＥＤ１２ｂと、ＢＬＥＤ１２ｃと、ＵＶＬＥＤ１４ａと、撮像対象媒体Ｐからの反射光あるいは蛍光を撮像センサ１６ａ側へ反射するミラー２２と、レンズ２３を経由してミラー２２からの反射光を撮像センサ１６ａに反射するミラー２４と、撮像対象媒体Ｐを各ＬＥＤ１２ａ、１２ｂ、１２ｃ、１４ａからの光によって撮像するための画像読取支持板２６等と共に撮像ユニット２８を構成している。各ＬＥＤ１２ａ、１２ｂ、１２ｃ、１４ａの点灯時に撮像対象媒体Ｐのうち画像読取支持板２６と対向している部分に照射されたそれぞれの光に対応する反射光あるいは蛍光をミラー２２及びミラー２４等を介して撮像センサ１６ａが撮像する構成である。
【００２６】
このような撮像センサ１６ａは、ＲＬＥＤ１２ａの点灯時には撮像した撮像対象媒体Ｐの一部をＲ色光に対応する撮像素子毎のＲ出力値、ＧＬＥＤ１２ｂの点灯時には撮像した撮像対象媒体Ｐの一部をＧ色光に対応する撮像素子毎のＧ出力値、ＢＬＥＤ１２ｃの点灯時には撮像した撮像対象媒体Ｐの一部をＢ色光に対応する撮像素子毎のＢ出力値、さらに、ＵＶＬＥＤ１４ａの点灯時には撮像した撮像対象媒体Ｐの一部を紫外線に対応する撮像素子毎の紫外線蛍光出力値（以下、ＵＶ蛍光出力値という）を制御基板２０の画像データ生成部２０ａに出力する。
【００２７】
また、搬送手段１８は、撮像対象媒体Ｐを撮像手段１６へ向けて搬送するものである。搬送手段１８は、撮像対象媒体Ｐに搬送方向（撮像対象媒体Ｐの副走査方向）への力を作用する駆動ローラ１８ａと、駆動ローラ１８ａと対を成してこの駆動ローラ１８ａと共に撮像対象媒体Ｐを挟持して搬送する従ローラ１８ｂと、上記の撮像対象媒体Ｐの搬送方向への力を駆動ローラ１８ａに作用させるＡＤＦモータ１８ｃとから構成されている。撮像手段１６よりも撮像対象媒体Ｐの搬送方向上流側には、撮像手段１６に撮像される撮像対象媒体Ｐを画像読取装置１０にセットするための図示しない給紙部が配置される一方、撮像手段１６よりも撮像対象媒体Ｐの搬送方向下流側には、撮像手段１６によって撮像された撮像対象媒体Ｐを画像読取装置１０から排紙するための図示しない排紙部が配置されている。例えばスキャンスイッチ２９が押圧されると、ＡＤＦモータ１８ｃが駆動して、駆動ローラ１８ａによる上記の搬送方向への力が、前述の図示しない給紙部にセットされていて駆動ローラ１８ａと従ローラ１８ｂとの間に挿入される撮像対象媒体Ｐに作用し、この結果、撮像対象媒体Ｐがその搬送方向に沿って搬送されて、前述の図示しない排紙部に排出される構成である。
【００２８】
このような画像読取装置１０では、撮像対象媒体Ｐを搬送手段１８によって搬送している状態で、各ＬＥＤ１２ａ、１２ｂ、１２ｃ、１４ａを１つずつ順番に点灯する。より詳しく述べると、本実施の形態では、撮像対象媒体Ｐを搬送手段１８によって搬送している状態で、制御基板２０から各ＬＥＤ１２ａ、１２ｂ、１２ｃ、１４ａに１つずつ電力を供給して（電力の供給先が１つとなるように電力の供給先を切り替えながら）、各ＬＥＤ１２ａ、１２ｂ、１２ｃ、１４ａを１つずつ順番に点灯する。また、画像読取装置１０では、画像読取支持板２６上に撮像対象媒体Ｐが位置しないときに、第１光源１２のＲＬＥＤ１２ａ、ＧＬＥＤ１２ｂ、及びＢＬＥＤ１２ｃの全てを点灯することで白色光を画像読取支持板２６を介して白基準板２１へ照射することが可能とされている。
【００２９】
また、画像データ生成手段としての制御基板２０は、その画像データ生成部２０ａによって、第１光源１２が第１光のみを撮像対象媒体Ｐに照射したときにこの撮像対象媒体Ｐに対応する第１画像データ、あるいは、第２光源１４が第２光のみを撮像対象媒体Ｐに照射したときにこの撮像対象媒体Ｐに対応する第２画像データの少なくとも何れか一方を生成するものである。
【００３０】
この制御基板２０の画像データ生成部２０ａは、第１光源１２が第１光のみを撮像対象媒体Ｐに照射したときにこの撮像対象媒体Ｐにおいて反射された第１光に対応する可視領域内波長の反射光に基づいて、撮像手段１６によって撮像された撮像対象媒体Ｐの一部に対応する可視光データ群を生成する。そして、画像データ生成部２０ａは、搬送手段１８による撮像対象媒体Ｐの搬送開始から搬送終了までの間に生成された可視光データ群を複数集合して前述の第１画像データを生成する。また、この制御基板２０の画像データ生成部２０ａは、第２光源１４が第２光のみを撮像対象媒体Ｐに照射したときにこの撮像対象媒体Ｐにおいて反射された第２光に対応する可視領域内波長の蛍光に基づいて、撮像手段１６によって撮像された撮像対象媒体Ｐの一部に対応する可視光外データ群を生成する。そして、画像データ生成部２０ａは、搬送手段１８による撮像対象媒体Ｐの搬送開始から搬送終了までの間に生成された可視光外データ群を複数集合して前述の第２画像データを生成する。
【００３１】
より詳しく述べると、制御基板２０の画像データ生成部２０ａは、各ＬＥＤ１２ａ、１２ｂ、１２ｃ、１４ａの点灯の切替えタイミングで、撮像センサ１６ａから出力されるラインデータがＲ色光に対応するＲラインデータ、あるいは、Ｇ色光に対応するＧラインデータ、Ｂ色光に対応するＢラインデータ、紫外線に対応するＵＶラインデータのうち何れであるのかを判別する。この画像データ生成部２０ａは、さらに、前述のＲＬＥＤ１２ａの点灯時にラインセンサである撮像センサ１６ａによって撮像されたＲ色光に対応するＲラインデータと、ＧＬＥＤ１２ｂの点灯時に撮像センサ１６ａによって撮像されたＧ色光に対応するＧラインデータと、ＢＬＥＤ１２ｃの点灯時に撮像センサ１６ａによって撮像されたＢ色光に対応するＢラインデータとから構成される前述の可視光データ群を搬送手段１８による撮像対象媒体Ｐの搬送開始から搬送終了までの間に繰り返し複数生成し、ＵＶＬＥＤ１４ａの点灯時には撮像センサ１６ａによって撮像された紫外線に対応するＵＶラインデータのみで構成される前記可視光外データ群を搬送手段１８による撮像対象媒体Ｐの搬送開始から搬送終了までの間に繰り返し複数生成する。
【００３２】
さらに、制御基板２０の画像データ生成部２０ａは、可視光データ群と可視光外データ群とを、ＲＬＥＤ１２ａ、ＧＬＥＤ１２ｂ、及びＢＬＥＤ１２ｃの第１光源１２と、ＵＶＬＥＤ１４ａの第２光源１４との点灯の切替えタイミング、言い換えれば、撮像手段１６である撮像センサ１６ａの第１光の反射光の撮像と第２光の蛍光の撮像とが切り替わるタイミングに合わせた並行処理により生成して、複数の可視光データ群を集合して第１画像データを生成すると共に、複数の可視光外データ群を集合して第２画像データを生成する。
【００３３】
また、白基準板２１は、前述の第１画像データの補正時に基準となる第１白基準データを更新するために用いられるものである。白基準板２１は、撮像対象媒体Ｐの搬送路（画像読取装置１０の主要部分の筐体３０の斜面）と離間して配置されており、前述の画像読取支持板２６と対向している。この白基準板２１としては、例えば、蛍光顔料を混練させた樹脂によって成形されているものや、白色光の被照射面に白色蛍光塗料が塗布されているもの等が挙げられる。このような白基準板２１は、画像読取支持板２６上に撮像対象媒体Ｐが位置しないときであって、第１光源１２であるＲＬＥＤ１２ａ、ＧＬＥＤ１２ｂ、及びＢＬＥＤ１２ｃの全ての点灯時に、言い換えれば、第１光源１２による白色光の照射時に、この白色光に対応する可視領域内波長の光を撮像手段１６である撮像センサ１６ａへ反射する。またさらに、この白基準板２１は、前述の第２画像データの補正時に基準となる第２白基準データの更新時に、第２光源１４であるＵＶＬＥＤ１４ａが点灯することでＵＶＬＥＤ１４ａからの紫外線に対応する可視領域内波長の蛍光を撮像手段１６である撮像センサ１６ａへ反射する。なお、この白基準板２１は、撮像対象媒体Ｐの搬送時に撮像対象媒体Ｐが画像読取支持板２６から浮いてしまう（離れてしまう）ことも抑制する。
【００３４】
ところで、第１白基準データと第２白基準データとは、生成された第１画像データと第２画像データとを補正するために、予め制御基板２０の画像データ生成部２０ａ内に記憶されている。このため、前述の白基準板２１は、前述のように、画像読取装置１０に予め記憶されている第１白基準データと第２白基準データとの更新に用いられる。
【００３５】
なお、前述の撮像対象媒体Ｐは、例えば、用紙、ＯＨＰシート等とされる。
【００３６】
次に、本発明の実施の形態１の画像読取装置１０の動作について説明する。
【００３７】
図３には、画像読取装置１０の動作手順の一例を示すフローチャートが示されている。
【００３８】
画像読取装置１０の電源が投入されると、ステップ１００に移行する。このとき、撮像対象媒体Ｐを画像読取装置１０の図示しない給紙部にセットする。ステップ１００では、例えばスキャンスイッチ２９が押圧されたか否かが判断される。このステップ１００では、スキャンスイッチ２９が押圧されたと判断された場合にのみ撮像対象媒体Ｐのスキャンが開始されると判断して、次のステップ１０２に進む。
【００３９】
ステップ１００の判断が肯定されてステップ１０２に移行すると、搬送手段１８によって撮像対象媒体Ｐが搬送されていない状態、すなわち、撮像対象媒体Ｐと撮像手段１６とが対向していない状態で、第１光源１２のＲＬＥＤ１２ａとＧＬＥＤ１２ｂとＢＬＥＤ１２ｃとの全てが同時に点灯されることで白色光が白基準板２１に照射される。第１光源１２のＲＬＥＤ１２ａとＧＬＥＤ１２ｂとＢＬＥＤ１２ｃとの全てが同時に点灯されることで白色光が白基準板２１に照射されると、この白色光に対応する可視領域内波長の光が、この白基準板２１によって反射されて撮像手段１６である撮像センサ１６ａに撮像される。この結果、上記の白色光が照射された白基準板２１に対応する第１更新出力値が撮像センサ１６ａから制御基板２０の画像データ生成部２０ａに送られて、制御基板２０の画像データ生成部２０ａにより第１更新ラインデータが更新され、第１更新ラインデータに基づいて画像データ生成部２０ａ内に予め記憶されている第１白基準データが更新される。またさらに、この第１白基準データの更新が終了すると、第２光源１４のＵＶＬＥＤ１４ａが点灯されることで紫外線が白基準板２１に照射される。第２光源１４のＵＶＬＥＤ１４ａが点灯されることで紫外線が白基準板２１に照射されると、この紫外線に対応する可視領域内波長の光が、この白基準板２１によって蛍光して撮像手段１６である撮像センサ１６ａに撮像される。この結果、上記の紫外線が照射された白基準板２１に対応する第２更新出力値が撮像センサ１６ａから制御基板２０の画像データ生成部２０ａに送られて、制御基板２０の画像データ生成部２０ａにより第２更新ラインデータが更新され、第２更新ラインデータに基づいて画像データ生成部２０ａ内に予め記憶されている第２白基準データが更新される。以上のように、白基準板２１は、第１画像データの補正時に基準となる第１白基準データの更新に用いることができる。これと共に、この白基準板２１は、第２光源１４のＵＶＬＥＤ１４ａが点灯されることで紫外線が照射されると、第２画像データの補正時に基準となる第２白基準データの更新に用いることができる。なお、第１光源１２のＲＬＥＤ１２ａとＧＬＥＤ１２ｂとＢＬＥＤ１２ｃとによる白色光の照射と、第２光源１４のＵＶＬＥＤ１４ａによる紫外線の照射との順序を逆にして、前述の第２白基準データの更新を行ってから、第１白基準データの更新を行っても良い。第１白基準データと第２白基準データとの更新が終了すると、ステップ１０４に移行する。
【００４０】
ステップ１０４では、搬送手段１８のＡＤＦモータ１８ｃが駆動して駆動ローラ１８ａが図１の矢印方向に回転する。このため、撮像対象媒体Ｐは、駆動ローラ１８ａ及び従ローラ１８ｂのローラ対によって挟持されながら、撮像対象媒体Ｐの搬送方向（副走査方向）に沿いつつ、撮像手段１６の撮像センサ１６ａへ向けて搬送される（撮像対象媒体Ｐの搬送開始）。撮像対象媒体Ｐの搬送が開始されると、ステップ１０６に移行する。
【００４１】
ステップ１０６では、撮像対象媒体Ｐが搬送手段１８の駆動ローラ１８ａ及び従ローラ１８ｂ等によって撮像手段１６の撮像センサ１６ａへ向けて搬送されている状態で、ＲＬＥＤ１２ａが点灯される。ＲＬＥＤ１２ａが点灯されると、ステップ１０８に移行する。
【００４２】
ステップ１０８では、撮像対象媒体Ｐにおいて反射されたＲ色光に対応する可視領域内波長の反射光が、撮像センサ１６ａによって撮像される。上記のＲ色光に対応する可視領域内波長の反射光が撮像センサ１６ａによって撮像されると、ステップ１１０に移行する。
【００４３】
ステップ１１０では、上記のＲ色光に対応する可視領域内波長の反射光に基づいたＲ出力値が、撮像センサ１６ａから出力されて、制御基板２０の画像データ生成部２０ａによりＲ出力値に基づいてＲラインデータが生成される。Ｒラインデータが制御基板２０の画像データ生成部２０ａにより生成されると、ステップ１１２に移行する。
【００４４】
ステップ１１２では、ＲＬＥＤ１２ａが消灯されて、ＧＬＥＤ１２ｂが点灯される。ＧＬＥＤ１２ｂが点灯されると、ステップ１１４に移行する。
【００４５】
ステップ１１４では、撮像対象媒体Ｐにおいて反射されたＧ色光に対応する可視領域内波長の反射光が、撮像センサ１６ａによって撮像される。上記のＧ色光に対応する可視領域内波長の反射光が撮像センサ１６ａによって撮像されると、ステップ１１６に移行する。
【００４６】
ステップ１１６では、上記のＧ色光に対応する可視領域内波長の反射光に基づいたＧ出力値が、撮像センサ１６ａから出力されて、制御基板２０の画像データ生成部２０ａによりＧ出力値に基づいてＧラインデータが生成される。Ｇラインデータが制御基板２０の画像データ生成部２０ａにより生成されると、ステップ１１８に移行する。
【００４７】
ステップ１１８では、ＧＬＥＤ１２ｂが消灯されて、ＢＬＥＤ１２ｃが点灯される。ＢＬＥＤ１２ｃが点灯されると、ステップ１２０に移行する。
【００４８】
ステップ１２０では、撮像対象媒体Ｐにおいて反射されたＢ色光に対応する可視領域内波長の反射光が、撮像センサ１６ａによって撮像される。上記のＢ色光に対応する可視領域内波長の反射光が撮像センサ１６ａによって撮像されると、ステップ１２２に移行する。
【００４９】
ステップ１２２では、上記のＢ色光に対応する可視領域内波長の反射光に基づいたＢ出力値が、撮像センサ１６ａから出力されて、制御基板２０の画像データ生成部２０ａによりＢ出力値に基づいてＢラインデータが生成される。Ｂラインデータが制御基板２０の画像データ生成部２０ａにより生成されると、ステップ１２４に移行する。
【００５０】
ステップ１２４では、ＢＬＥＤ１２ｃが消灯されて、制御基板２０の画像データ生成部２０ａによって、前述のＲラインデータとＧラインデータとＢラインデータとから構成される可視光データ群が生成される。可視光データ群が生成されると、ステップ１２６に移行する。
【００５１】
ステップ１２６では、ＵＶＬＥＤ１４ａが点灯される。ＵＶＬＥＤ１４ａが点灯されると、ステップ１２８に移行する。
【００５２】
ステップ１２８では、撮像対象媒体Ｐにおいて反射された紫外線に対応する可視領域内波長の蛍光が、撮像センサ１６ａによって撮像される。ここで、例えば、撮像対象媒体Ｐが文字の記録されている原稿であってさらにこの原稿に蛍光ペンによる印が付けられている場合には、蛍光ペンによる印が付けられている箇所に紫外線が照射されると、この蛍光ペンの印が付けられている箇所が、蛍光ペンの印に反応する可視領域内波長の光で蛍光する。上記の紫外線に対応する可視領域内波長の蛍光が撮像センサ１６ａによって撮像されると、ステップ１３０に移行する。
【００５３】
ステップ１３０では、上記の紫外線に対応する可視領域内波長の蛍光に基づいたＵＶ蛍光出力値が、撮像センサ１６ａから出力されて、制御基板２０の画像データ生成部２０ａによりＵＶ蛍光出力値に基づいてＵＶラインデータが生成される。ＵＶラインデータが制御基板２０の画像データ生成部２０ａにより生成されると、ステップ１３２に移行する。
【００５４】
ステップ１３２では、ＵＶＬＥＤ１４ａが消灯されて、前述のＵＶラインデータのみで構成される可視光外データ群が生成される。可視光外データ群が生成されると、ステップ１３４に移行する。
【００５５】
ステップ１３４では、撮像対象媒体Ｐのスキャンが終了したか否かが判断される。撮像対象媒体Ｐのスキャンが終了したか否かは、例えば、画像読取支持板２６付近に撮像対象媒体Ｐの検出センサを設けて、この検出センサからの出力に基づいて行えばよく、この場合、上記の検出センサが撮像対象媒体Ｐを検出しなくなったときに、撮像対象媒体Ｐのスキャンが終了したと判断する。このステップ１３４では、撮像対象媒体Ｐのスキャンが終了したと判断した場合には次のステップ１３６に進み、撮像対象媒体Ｐのスキャンが終了していないと判断した場合には、ステップ１０４に戻って前述の処理を繰り返す。
【００５６】
撮像対象媒体Ｐのスキャンが終了したと判断されてステップ１３６に進むと、搬送手段１８のＡＤＦモータ１８ｃが例えば所定量回転して撮像対象媒体Ｐを図示しない画像読取装置１０の排紙部へ送り出し、その後にＡＤＦモータ１８ｃが停止して駆動ローラ１８ａの回転が停止する。このようにして撮像対象媒体Ｐの搬送が終了されると、ステップ１３８に移行する。
【００５７】
ステップ１３８では、制御基板２０の画像データ生成部２０ａによって、前述のステップ１２４で生成された複数の可視光データ群が集合されて撮像対象媒体Ｐに対応する第１画像データが生成されると共に、前述のステップ１３２で生成された複数の可視光外データ群が集合されて撮像対象媒体Ｐに対応する第２画像データが生成される。このようにして、第１画像データと第２画像データとが生成されると、撮像対象媒体Ｐの撮像処理が終了する。
【００５８】
以上説明したように、撮像対象媒体Ｐが搬送手段１８の駆動ローラ１８ａ及び従ローラ１８ｂ等によって撮像手段１６の撮像センサ１６ａへ向けて搬送されている状態で、第１光源１２と第２光源１４とが交互に点灯されると、第１光の可視領域内波長の反射光に基づいた可視光データ群と、第２光の可視領域内波長の蛍光に基づいた可視光外データ群とが交互に生成される。そして交互に複数生成された可視光データ群及び可視光外データ群のうち、可視光データ群を複数集合して撮像対象媒体Ｐに対応する第１画像データが生成されると共に、可視光外データ群を複数集合して撮像対象媒体Ｐに対応する第２画像データ群が生成される。さらに詳しく述べると、前述のように撮像対象媒体Ｐが搬送手段１８の駆動ローラ１８ａ及び従ローラ１８ｂ等によって撮像手段１６の撮像センサ１６ａへ向けて搬送されている状態で、第１光源１２のＲＬＥＤ１２ａと、ＧＬＥＤ１２ｂと、ＢＬＥＤ１２ｃと、第２光源１４のＵＶＬＥＤ１４ａとが１つずつ順番に点灯することで、第１光であるＲ色光、Ｇ色光、及びＢ色光の可視領域内波長の反射光に基づいた可視光データ群と、第２光である紫外線の可視領域内波長の蛍光に基づいた可視光外データ群とが交互に生成される。この結果、複数の可視光データ群を集合することで第１光のＲ色光、Ｇ色光、及びＢ色光に基づく撮像手段１６の撮像センサ１６ａによって撮像された撮像対象媒体Ｐに対応する第１画像データが生成されると共に、複数の可視光外データ群を集合することで第２光の紫外線に基づく撮像手段１６の撮像センサ１６ａによって撮像された撮像対象媒体Ｐに対応する第２画像データが生成される。このため、例えば、撮像対象媒体Ｐが文字の記録されている原稿であってさらにこの原稿に蛍光ペンによる印が付けられている場合には、白色光に対応する原稿全体の撮像画像に基づく第１画像データを生成すると共に、蛍光ペンによる印が付けられている箇所を浮き立たせた、紫外線に対応する原稿全体の撮像画像に基づく第２画像データを生成できる。
【００５９】
このように、撮像対象媒体Ｐに対応する第１画像データと第２画像データとの双方を１回の走査で生成できる。言い換えれば、１回の走査で撮像対象媒体Ｐから可視領域内波長の光であるＲ色光、Ｇ色光、及びＢ色光に基づいた撮像画像データと可視領域外波長の光である紫外線に基づいた撮像画像データとの双方を生成できる。
【００６０】
また、画像読取装置１０では、１つの撮像手段１６である撮像センサ１６ａが第１光であるＲ色光、Ｇ色光、及びＢ色光の反射光と第２光である紫外線の蛍光との双方を撮像する構成であるので、第１光であるＲ色光、Ｇ色光、及びＢ色光の反射光を撮像する撮像手段と第２光である紫外線の蛍光を撮像する撮像手段との双方を装置に設ける必要がない。このため、装置を小型化できる。
【００６１】
また、画像読取装置１０では、ＲＬＥＤ１２ａと、ＧＬＥＤ１２ｂと、ＢＬＥＤ１２ｃと、ＵＶＬＥＤ１４ａとの各ＬＥＤが１つずつ順番に点灯することで、Ｒラインデータと、Ｇラインデータと、Ｂラインデータと、ＵＶラインデータとの各ラインデータが１つずつ順番に生成される。この結果、これらの各ＬＥＤ１２ａ、１２ｂ、１２ｃ、１４ａの点灯１周期につき、前述の４つのラインデータが生成される。連続する４つのラインデータは、可視光データ群を構成するＲ、Ｇ、Ｂ３つのラインデータと可視光外データ群である紫外線データ群を構成する１つのＵＶラインデータとなる。言い換えると、可視光データ群を構成し互いに連続するＲ、Ｇ、Ｂ３つのラインデータは、紫外線データ群を構成する１つのＵＶラインデータを間に挟んで繰り返し生成される。このため、各ＬＥＤ１２ａ、１２ｂ、１２ｃ、１４ａの点灯１周期あたりに生成される４つのラインデータの中で紫外線データ群を構成するＵＶラインデータの占める割合が最小にされる。これにより、例えば各ＬＥＤ１２ａ、１２ｂ、１２ｃ、１４ａの点灯１周期あたりに生成されるラインデータのうち可視光データ群を構成するＲ、Ｇ、Ｂ３種類のラインデータの占める割合と紫外線データ群を構成する１種類のＵＶラインデータの占める割合とが同じである場合と比べて、可視光データ群を複数集合して生成される第１画像データの撮像対象媒体Ｐに対する再現精度を高くすることができる。
【００６２】
また、画像読取装置１０では、白色光の反射光の撮像に従来から使用されているラインセンサである撮像センサ１６ａを紫外線の蛍光の撮像に使用できる。このため、白色用のみの光源を持つ撮像装置に対して、紫外線用の光源を増やすだけで撮像手段の部品点数を増やすことなく第１画像データと第２画像データとの双方を１回の走査で生成できる。また、前述のように、第１光源１２の３つの各ＬＥＤ１２ａ、１２ｂ、１２ｃと第２光源１４のＵＶＬＥＤ１４ａとを１つのユニットで構成できる。以上のような理由から、光源と撮像手段とで構成されているユニットを２つ用いる場合と比べて、部品点数の増加を抑制できる。
【００６３】
なお、本実施の形態の画像読取装置１０は、撮像対象媒体Ｐを撮像手段１６によって撮像する場合に、第１光源１２を点灯した後に第２光源１４を点灯する構成としたが、本発明はこれに限らず、第２光源１４を点灯した後に第１光源１２を点灯する構成としても良い。
【００６４】
また、本実施の形態の画像読取装置１０は、撮像対象媒体Ｐを撮像手段１６の撮像センサ１６ａによって撮像する場合であって、第１光源１２を点灯するときに、ＲＬＥＤ１２ａ、ＧＬＥＤ１２ｂ、ＢＬＥＤ１２ｃの順に点灯しＲ色光、Ｇ色光、そしてＢ色光を撮像対象媒体Ｐに照射して、Ｒ出力値とＧ出力値とＢ出力値とを撮像センサ１６ａから出力する構成としたが、本発明はこれに限らず、結果として、Ｒ出力値とＧ出力値とＢ出力値とを撮像センサ１６ａから出力する構成であれば、ＲＬＥＤ１２ａ、ＧＬＥＤ１２ｂ、あるいはＢＬＥＤ１２ｃが点灯する順序は適宜変更しても良い。
【００６５】
また、本実施の形態の画像読取装置１０では、第１画像データと第２画像データとを生成するために、制御基板２０の画像データ生成部２０ａが複数の可視光データ群や複数の可視光外データ群を集合させるタイミングを搬送手段１８による撮像対象媒体Ｐの搬送終了後に設定したが、本発明はこれに限らない。本発明は、可視光データ群や可視光外データ群の数が増える度に複数の可視光データ群や可視光外データ群を集合させておき、撮像対象媒体Ｐのスキャンが終了したときに、集合した複数の可視光データ群から第１画像データを生成すると共に集合した複数の可視光外データ群から第２画像データを生成してもよい。
【００６６】
〔実施の形態２〕
次に、本発明の実施の形態２に係る画像読取装置１０について説明する。図４には、実施の形態２に係る画像読取装置１０の概略が模式的な断面図にて示されており、図５には、この画像読取装置１０の主要な構成がブロック図にて示されている。なお、本実施の形態に係る画像読取装置１０について、前述の実施の形態１の画像読取装置１０と同一の構成要件については、同一符号を付してその説明を省略する。
【００６７】
本実施の形態では、第１光源１２が、白色光を照射する白色ＬＥＤ１２ｄで構成される一方、第２光源１４が、紫外線を照射するＵＶＬＥＤ１４ａで構成されている。白色ＬＥＤ１２ｄとＵＶＬＥＤ１４ａとは、それぞれ制御基板２０に接続されており、これらの白色ＬＥＤ１２ｄとＵＶＬＥＤ１４ａとは、電力を制御基板２０から供給されて点灯する。具体的には、白色ＬＥＤ１２ｄとＵＶＬＥＤ１４ａとは電力を制御基板２０から供給されると、白色ＬＥＤ１２ｄが可視領域内波長の第１光としての白色光を撮像対象媒体Ｐに照射し、ＵＶＬＥＤ１４ａが可視領域外波長の第２光としての紫外線を撮像対象媒体Ｐに照射する。本実施の形態では、この白色光は、略３８０ｎｍ〜略７８０ｎｍの範囲に亘って様々な波長の光で構成されており、白色ＬＥＤ１２ｄから照射される白色光の波長範囲は、例えば、３８０ｎｍ〜７８０ｎｍとされている。また、この紫外線は、略２００ｎｍ〜略３８０ｎｍの範囲内の波長であることが好ましい。本実施の形態では、ＵＶＬＥＤ１４ａから照射される紫外線の波長は、例えば、３６０ｎｍとされている。
【００６８】
また、本実施の形態では、撮像手段１６として３ラインセンサである撮像センサ１６ｂが用いられる。撮像センサ１６ｂは、例えばＣＣＤ（ｃｈａｒｇｅ  ｃｏｕｐｌｅｄ  ｄｅｖｉｃｅ）であり、Ｒ色光のみに反応するＲラインセンサと、Ｇ色光のみに反応するＧラインセンサと、Ｂ色光のみに反応するＢラインセンサとから構成されており、これらのＲラインセンサ、Ｇラインセンサ、及びＢラインセンサは、それぞれ主走査方向に１列に配列される複数の撮像素子から構成されている。
【００６９】
撮像センサ１６ｂは、前述の白色ＬＥＤ１２ｄと、ＵＶＬＥＤ１４ａと、撮像対象媒体Ｐからの反射光あるいは蛍光を撮像センサ１６ｂ側へ反射するミラー３２と、ミラー３２からの反射光を撮像センサ１６ｂが撮像できるように収束させるレンズ３４と、撮像対象媒体Ｐを白色ＬＥＤ１２ｄからの白色光あるいはＵＶＬＥＤ１４ａからの紫外線によって撮像するための画像読取支持板３６等と共に撮像ユニット３８を構成している。白色ＬＥＤ１２ｄあるいはＵＶＬＥＤ１４ａの点灯時に撮像対象媒体Ｐのうち画像読取支持板３６と対向している部分に照射された白色光の反射光あるいは紫外線の蛍光をミラー３２及びレンズ３４を介して撮像センサ１６ｂが撮像する構成である。
【００７０】
このような撮像センサ１６ｂは、白色ＬＥＤ１２ｄの点灯時には撮像した撮像対象媒体Ｐの一部をＲ色光に対応するＲラインセンサの撮像素子毎のＲ出力値と、Ｇ色光に対応するＧラインセンサの撮像素子毎のＧ出力値と、Ｂ色光に対応するＢラインセンサの撮像素子毎のＢ出力値とを制御基板２０の画像データ生成部２０ａに出力する。さらに、ＵＶＬＥＤ１４ａの点灯時には撮像した撮像対象媒体Ｐの一部を紫外線に対応するＲラインセンサの撮像素子毎のＲ出力値と、紫外線に対応するＧラインセンサの撮像素子毎のＧ出力値と、紫外線に対応するＢラインセンサの撮像素子毎のＢ出力値とを制御基板２０の画像データ生成部２０ａに出力する。
【００７１】
また、本実施の形態では、画像データ生成手段としての制御基板２０は、白色ＬＥＤ１２ｄの点灯時に前述のＲラインセンサによって撮像された前述のＲ出力値からＲラインデータを生成し、前述のＧラインセンサによって撮像された前述のＧ出力値からＧラインデータを生成し、前述のＢラインセンサによって撮像された前述のＢ出力値からＢラインデータを生成する。この生成されたＲラインデータとＧラインデータとＢラインデータとから構成される前述の可視光データ群を搬送手段１８による撮像対象媒体Ｐの搬送開始から搬送終了までの間に繰り返し複数生成し、ＵＶＬＥＤ１４ａの点灯時に前述のＲラインセンサによって撮像された前述のＲ出力値からＲラインデータを生成し、前述のＧラインセンサによって撮像された前述のＧ出力値からＧラインデータを生成し、前述のＢラインセンサによって撮像された前述のＢ出力値からＢラインデータを生成する。この生成されたＲラインデータとＧラインデータとＢラインデータとから成る紫外線ラインデータから構成される可視光外データ群を搬送手段１８による撮像対象媒体Ｐの搬送開始から搬送終了までの間に繰り返し複数生成する。
【００７２】
具体的には、画像データ生成手段としての制御基板２０は、その画像データ生成部２０ａによって、可視光データ群と可視光外データ群とを、白色ＬＥＤ１２ｄの第１光源１２と、ＵＶＬＥＤ１４ａの第２光源１４との点灯の切替えタイミング、言い換えれば、撮像手段１６である撮像センサ１６ｂの第１光の反射光の撮像と第２光の蛍光の撮像とが切り替わるタイミングに合わせた並行処理により搬送手段１８による撮像対象媒体Ｐの搬送開始から搬送終了までの間に生成して、複数の可視光データ群を集合して第１画像データを生成すると共に、複数の可視光外データ群を集合して第２画像データを生成する。
【００７３】
このような本実施の形態の画像読取装置１０では、撮像対象媒体Ｐを搬送手段１８によって搬送している状態で、第１光源１２としての白色ＬＥＤ１２ｄと第２光源１４としてのＵＶＬＥＤ１４ａとを交互に点灯する。より詳しく述べると、画像読取装置１０は、撮像対象媒体Ｐを搬送手段１８によって搬送している状態で、制御基板２０によって白色ＬＥＤ１２ｄとＵＶＬＥＤ１４ａとに交互に電力を供給して、白色ＬＥＤ１２ｄとＵＶＬＥＤ１４ａとを交互に点灯する。また、画像読取装置１０では、画像読取支持板３６上に撮像対象媒体Ｐが位置しないときに、第１光源１２の白色ＬＥＤ１２ｄを点灯することで白色光を画像読取支持板３６へ照射することが可能とされている。
【００７４】
また、これに伴って、制御基板２０の画像データ生成部２０ａは、白色ＬＥＤ１２ｄとＵＶＬＥＤ１４ａとの点灯の切替えタイミングで、撮像センサ１６ａから出力される出力値が、白色ＬＥＤ１２ｄの点灯時のＲ出力値、Ｇ出力値、及びＢ出力値なのか、それともＵＶＬＥＤ１４ａの点灯時のＲ出力値、Ｇ出力値、及びＢ出力値なのかを判別する。
【００７５】
また、白基準板２１が第１白基準データ及び第２白基準データの更新に用いられる点は、前述の実施の形態１と同様である。ただし、本実施の形態では、白基準板２１は、画像読取支持板３６と対向しており、この白基準板２１は、撮像対象媒体Ｐの搬送時に撮像対象媒体Ｐが画像読取支持板３６から浮いてしまう（離れてしまう）ことも抑制する。
【００７６】
次に、本発明の実施の形態２の画像読取装置１０の動作について説明する。
【００７７】
図６には、画像読取装置１０の動作手順の一例を示すフローチャートが示されている。
【００７８】
画像読取装置１０の電源が投入されると、ステップ１４０に移行する。このとき、撮像対象媒体Ｐを画像読取装置１０の図示しない給紙部にセットする点は、前述の実施の形態１と同様である。ステップ１４０では、スキャンスイッチ２９が押圧されたか否かが判断される。このステップ１４０では、スキャンスイッチ２９が押圧されたと判断された場合にのみ、次のステップ１４２に進む。
【００７９】
ステップ１４０の判断が肯定されてステップ１４２に移行すると、搬送手段１８によって撮像対象媒体Ｐが搬送されていない状態、すなわち、撮像対象媒体Ｐと撮像手段１６とが対向していない状態で、第１光源１２の白色ＬＥＤ１２ｄが点灯されることで白色光が白基準板２１に照射される。第１光源１２の白色ＬＥＤ１２ｄが点灯されることで白色光が白基準板２１に照射されると、この白色光に対応する可視領域内波長の光が、この白基準板２１によって反射されて撮像手段１６である撮像センサ１６ｂに撮像されて、制御基板２０の画像データ生成部２０ａ内に予め記憶されている第１白基準データが更新される点については、前述の実施の形態１と同様である。またさらに、この第１白基準データの更新が終了すると、第２光源１４のＵＶＬＥＤ１４ａが点灯されることで紫外線が白基準板２１に照射される。第２光源１４のＵＶＬＥＤ１４ａが点灯されることで紫外線が白基準板２１に照射されると、この紫外線に対応する可視領域内波長の光が、この白基準板２１によって蛍光して撮像手段１６である撮像センサ１６ｂに撮像されて、制御基板２０の画像データ生成部２０ａ内に予め記憶されている第２白基準データが更新される点についても、前述の実施の形態１と同様である。なお、第１光源１２の白色ＬＥＤ１２ｄによる白色光の照射と、第２光源１４のＵＶＬＥＤ１４ａによる紫外線の照射との順序を逆にして、前述の第２白基準データの更新を行ってから、第１白基準データの更新を行っても良い。第１白基準データと第２白基準データとの更新が終了すると、ステップ１４４に移行する。
【００８０】
ステップ１４４では、搬送手段１８のＡＤＦモータ１８ｃが駆動して駆動ローラ１８ａが図４の矢印方向に回転し、撮像対象媒体Ｐが駆動ローラ１８ａ及び従ローラ１８ｂのローラ対によって挟持されながら、撮像対象媒体Ｐの搬送方向（副走査方向）に沿いつつ、撮像手段１６の撮像センサ１６ｂへ向けて搬送される（撮像対象媒体Ｐの搬送開始）。この点についても、前述の実施の形態１と同様である。このように撮像対象媒体Ｐの搬送が開始されると、ステップ１４６に移行する。
【００８１】
ステップ１４６では、撮像対象媒体Ｐが搬送手段１８の駆動ローラ１８ａ及び従ローラ１８ｂ等によって撮像手段１６の撮像センサ１６ｂへ向けて搬送されている状態で、白色ＬＥＤ１２ｄが点灯される。白色ＬＥＤ１２ｄが点灯されると、ステップ１４８に移行する。
【００８２】
ステップ１４８では、撮像対象媒体Ｐにおいて反射された白色光に対応する可視領域内波長の反射光が、撮像センサ１６ｂによって撮像される。上記の白色光に対応する可視領域内波長の反射光が撮像センサ１６ｂによって撮像されると、ステップ１５０に移行する。
【００８３】
ステップ１５０では、上記の白色光に対応する可視領域内波長の反射光に基づいたＲ出力値とＧ出力値とＢ出力値とが、撮像センサ１６ｂから同時に出力されて、制御基板２０の画像データ生成部２０ａによりＲラインデータ、Ｇラインデータ、及びＢラインデータが生成される。これらのＲラインデータとＧラインデータとＢラインデータとが制御基板２０の画像データ生成部２０ａにより生成されると、ステップ１５２に移行する。
【００８４】
ステップ１５２では、白色ＬＥＤ１２ｄが消灯されて、前述のＲラインデータとＧラインデータとＢラインデータとから構成される可視光データ群が生成される。この点については、前述の実施の形態１と同様である。可視光データ群が生成されると、ステップ１５４に移行する。
【００８５】
ステップ１５４では、ＵＶＬＥＤ１４ａが点灯される。この点については、前述の実施の形態１と同様である。ＵＶＬＥＤ１４ａが点灯されると、ステップ１５６に移行する。
【００８６】
ステップ１５６では、撮像対象媒体Ｐにおいて反射された紫外線に対応する可視領域内波長の蛍光が、撮像センサ１６ｂによって撮像される。この点についても、前述の実施の形態１と同様である。上記の紫外線に対応する可視領域内波長の蛍光が撮像センサ１６ｂによって撮像されると、ステップ１５８に移行する。
【００８７】
ステップ１５８では、上記の紫外線に対応する可視領域内波長の蛍光に基づいたＲ出力値とＧ出力値とＢ出力値とが、撮像センサ１６ｂから出力されて、制御基板２０の画像データ生成部２０ａによりＲラインデータ、Ｇラインデータ、及びＢラインデータが生成される。これらのＲラインデータとＧラインデータとＢラインデータとが制御基板２０の画像データ生成部２０ａにより生成されると、ステップ１６０に移行する。
【００８８】
ステップ１６０では、ＵＶＬＥＤ１４ａが消灯されて、制御基板２０の画像データ生成部２０ａによって、紫外線に対応するＲラインデータとＧラインデータとＢラインデータとから構成される可視光外データ群が生成される。可視光外データ群が生成されると、ステップ１６２に移行する。
【００８９】
ステップ１６２では、撮像対象媒体Ｐのスキャンが終了したか否かが判断される。この点については、前述の実施の形態１と同様である。このステップ１６２では、撮像対象媒体Ｐのスキャンが終了したと判断した場合には次のステップ１６４に進み、撮像対象媒体Ｐのスキャンが終了していないと判断した場合には、ステップ１４４に戻って前述の処理を繰り返す。
【００９０】
撮像対象媒体Ｐのスキャンが終了したと判断されてステップ１６４に進むと、搬送手段１８のＡＤＦモータ１８ｃが例えば所定量回転して撮像対象媒体Ｐを図示しない画像読取装置１０の排紙部へ送り出し、その後にＡＤＦモータ１８ｃが停止して駆動ローラ１８ａの回転が停止する。この点についても、前述の実施の形態１と同様である。このようにして撮像対象媒体Ｐの搬送が終了されると、ステップ１６６に移行する。
【００９１】
ステップ１６６では、制御基板２０の画像データ生成部２０ａによって、前述のステップ１５２で生成された複数の可視光データ群が集合されて撮像対象媒体Ｐに対応する第１画像データが生成されると共に、前述のステップ１６０で生成された複数の可視光外データ群が集合されて撮像対象媒体Ｐに対応する第２画像データが生成される。このようにして、第１画像データと第２画像データとが生成されると、撮像対象媒体Ｐの撮像処理が終了する。
【００９２】
以上説明したように撮像対象媒体Ｐが搬送手段１８の駆動ローラ１８ａ及び従ローラ１８ｂ等によって撮像手段１６の撮像センサ１６ｂへ向けて搬送されている状態で、第１光源１２の白色ＬＥＤ１２ｄと第２光源１４のＵＶＬＥＤ１４ａとが交互に点灯されると、第１光である白色光の可視領域内波長の反射光に基づいた可視光データ群と、第２光である紫外線の可視領域内波長の蛍光に基づいた可視光外データ群とが交互に生成される。この結果、複数の可視光データ群を集めることで第１光の白色光に基づく撮像手段１６の撮像センサ１６ｂによって撮像された撮像対象媒体Ｐの第１画像データが生成されると共に、複数の可視光外データ群を集めることで第２光の紫外線に基づく撮像手段１６の撮像センサ１６ｂによって撮像された撮像対象媒体Ｐの第２画像データが生成される。このため、例えば、撮像対象媒体Ｐが文字の記録されている原稿であってさらにこの原稿に蛍光ペンによる印が付けられている場合には、白色光に対応する原稿全体の撮像画像に基づく第１画像データを生成すると共に、蛍光ペンによる印が付けられている箇所を浮き立たせた、紫外線に対応する原稿全体の撮像画像に基づく第２画像データを生成できる。この点については、前述の実施の形態１と同様である。
【００９３】
このように、撮像対象媒体Ｐの第１画像データと第２画像データとの双方を１回の走査で生成できる。言い換えれば、１回の走査で撮像対象媒体Ｐから可視領域内波長の光である白色光に基づいた撮像画像データと可視領域外波長の光である紫外線に基づいた撮像画像データとの双方を生成できる。この点については、前述の実施の形態１と同様である。
【００９４】
また、画像読取装置１０では、１つの撮像手段１６である撮像センサ１６ｂが第１光である白色光の反射光と第２光である紫外線の蛍光との双方を撮像する構成であるので、第１光である白色光の反射光を撮像する撮像手段と第２光である紫外線の蛍光を撮像する撮像手段との双方を装置に設ける必要がない。このため、装置を小型化できる。
【００９５】
また、画像読取装置１０では、可視光外データ群である紫外線データ群がＲラインデータと、Ｇラインデータと、Ｂラインデータとから構成される。したがって、紫外線データ群は、フルカラーのラインデータとなるので、可視光外データ群を複数集合して生成される第２画像データをフルカラーの画像データとすることができる。
【００９６】
また、画像読取装置１０では、白色光の反射光の撮像に従来から使用されているＲ、Ｇ、Ｂ各色に対応した３つのラインセンサである撮像センサ１６ｂをそのまま紫外線の蛍光の撮像に使用できる。このため、白色用のみの光源を持つ撮像装置に対して、紫外線用の光源を増やすだけで撮像手段の部品点数を増やすことなく第１画像データと第２画像データとの双方を１回の走査で生成できる。したがって、光源と撮像手段とで構成されているユニットを２つ用いる場合と比べて、部品点数の増加を抑制できる。この点についても、前述の実施の形態１と同様である。
【００９７】
なお、本実施の形態の画像読取装置１０は、撮像対象媒体Ｐを撮像手段１６によって撮像する場合に、第１光源１２を点灯した後に第２光源１４を点灯する構成としたが、本発明はこれに限らず、第２光源１４を点灯した後に第１光源１２を点灯する構成としても良い。
【００９８】
〔参考例〕
次に、本発明の実施の形態に係る画像読取装置１０の参考例について説明する。図７には、本発明の実施の形態に係る画像読取装置１０の参考例の概略が模式的な断面図にて示されており、図８には、この画像読取装置１０の参考例の主要な構成がブロック図にて示されている。なお、この画像読取装置１０の参考例について、前述の実施の形態１、２の画像読取装置１０と同一の構成要件については、同一符号を付してその説明を省略する。
【００９９】
本参考例では、第１光源１２として可視光冷陰極管１２ｅが用いられる。可視光冷陰極管１２ｅはインバータ４０ａに接続されており、この可視光冷陰極管１２ｅは、電力をインバータ４０ａから供給されて、可視領域内波長の第１光としての白色光を撮像対象媒体Ｐに照射する。この白色光は、略３８０ｎｍ〜略７８０ｎｍの範囲に亘って様々な波長の光で構成される。本参考例では、可視光冷陰極管１２ｅから照射される白色光の波長範囲は、例えば、３８０ｎｍ〜７８０ｎｍとされている。
【０１００】
また、本参考例では、第２光源１４としてブラックライト冷陰極管１４ｂが用いられる。ブラックライト冷陰極管１４ｂはインバータ４０ｂに接続されており、このブラックライト冷陰極管１４ｂは、電力をインバータ４０ｂから供給されて、可視領域外波長の第２光としての紫外線を撮像対象媒体Ｐに照射する。この紫外線は、略２００ｎｍ〜略３８０ｎｍの範囲内の波長であることが好ましい。本参考例では、ブラックライト冷陰極管１４ｂから照射される紫外線の波長は、例えば、３６０ｎｍとされている。
【０１０１】
また、本参考例では、撮像手段１６として３ラインセンサである撮像センサ１６ｃと撮像センサ１６ｄとが用いられる。撮像センサ１６ｃと撮像センサ１６ｄとは、例えばＣＣＤであり、それぞれＲ色光のみに反応するＲラインセンサと、Ｇ色光のみに反応するＧラインセンサと、Ｂ色光のみに反応するＢラインセンサとから構成されている。これらのＲラインセンサと、Ｇラインセンサと、Ｂラインセンサとは、それぞれ主走査方向に１列に配列される複数の撮像素子から構成されている。
【０１０２】
撮像センサ１６ｃは、前述の可視光冷陰極管１２ｅと、撮像対象媒体Ｐからの反射光を撮像センサ１６ｃ側へ反射するミラー４４と、ミラー４４からの反射光を撮像センサ１６ｃが撮像できるように収束させるレンズ４６と、撮像対象媒体Ｐを可視光冷陰極管１２ｅからの白色光によって撮像するための画像読取支持板４８と共に撮像ユニット５０を構成している。可視光冷陰極管１２ｅの点灯時に撮像対象媒体Ｐのうち画像読取支持板４８と対向している部分に照射された白色光の反射光をミラー４４及びレンズ４６を介して撮像センサ１６ｃが撮像する構成である。
【０１０３】
一方、撮像センサ１６ｄは、前述のブラックライト冷陰極管１４ｂと、撮像対象媒体Ｐからの蛍光を撮像センサ１６ｄ側へ反射するミラー５２と、ミラー５２からの反射光を撮像センサ１６ｄが撮像できるように収束させるレンズ５４と、撮像対象媒体Ｐをブラックライト冷陰極管１４ｂからの紫外線によって撮像するための画像読取支持板５８と共に撮像ユニット６０を構成している。ブラックライト冷陰極管１４ｂの点灯時に撮像対象媒体Ｐのうち画像読取支持板５８と対向している部分に照射された紫外線の蛍光をミラー５２及びレンズ５４を介して撮像センサ１６ｄが撮像する構成である。
【０１０４】
また、本参考例では、画像データ生成手段としての制御基板２０は、その画像データ生成部２０ａによって、上記の第１光の白色光を撮像対象媒体Ｐに照射したときに上記の可視領域内波長の反射光に基づいて前述のＲラインデータとＧラインデータとＢラインデータとから構成される可視光データ群を生成し、この可視光データ群を複数集合することで撮像手段１６の撮像センサ１６ｃによって撮像された撮像対象媒体Ｐの第１画像データを生成すると共に、上記の第２光の紫外線を撮像対象媒体Ｐに照射したときに上記の可視領域内波長の蛍光に基づいて前述のＲラインデータとＧラインデータとＢラインデータとから構成される可視光外データ群を生成し、この可視光外データ群を複数集合することで撮像手段１６の撮像センサ１６ｄによって撮像された撮像対象媒体Ｐの第２画像データを生成するものである。本参考例では、画像データ生成手段としての制御基板２０は、その画像データ生成部２０ａによって、可視光データ群と可視光外データ群とを例えば時分割による並行処理によって生成して、さらに、複数の可視光データ群を集めることで第１画像データを生成すると共に、複数の可視光外データ群を集めることで第２画像データを生成する。
【０１０５】
また、白基準板２１が第１白基準データ及び第２白基準データの更新に用いられる点は、前述の実施の形態１、２と同様である。ただし、本実施の形態では、白基準板２１は、画像読取支持板４８及び画像読取支持板５８と対向しており、この白基準板２１は、撮像対象媒体Ｐの搬送時に撮像対象媒体Ｐが画像読取支持板４８あるいは画像読取支持板５８から浮いてしまう（離れてしまう）ことも抑制する。
【０１０６】
このような画像読取装置１０の参考例は、撮像対象媒体Ｐを搬送手段１８によって搬送している状態で、上記の第１光源１２と第２光源１４とを共に点灯する。より詳しく述べると、画像読取装置１０は、撮像対象媒体Ｐを搬送手段１８によって搬送している状態で、制御基板２０によってインバータ４０ａ及びインバータ４０ｂに出力される指示に基づいて、可視光冷陰極管１２ｅとブラックライト冷陰極管１４ｂとを共に点灯する。
【０１０７】
次に、本発明の実施の形態の画像読取装置１０の参考例の動作について説明する。
【０１０８】
画像読取装置１０の電源が投入されると共に、撮像対象媒体Ｐを画像読取装置１０の図示しない給紙部にセットして、例えばスキャンスイッチ２９が押圧されると、搬送手段１８のＡＤＦモータ１８ｃが駆動して駆動ローラ１８ａ及び従ローラ１８ｂ等によって、撮像対象媒体Ｐがその搬送方向（副走査方向）に沿いつつ搬送される点については、前述の実施の形態１、２と同様である。ただし、本実施の形態の場合は、撮像対象媒体Ｐは、撮像手段１６の撮像センサ１６ｃ及び撮像センサ１６ｄへ向けて搬送される。
【０１０９】
このように撮像対象媒体Ｐが搬送手段１８の駆動ローラ１８ａ及び従ローラ１８ｂ等によって撮像手段１６の撮像センサ１６ｃ及び撮像センサ１６ｄへ向けて搬送されている状態で、第１光源１２の可視光冷陰極管１２ｅと第２光源１４のブラックライト冷陰極管１４ｂとが共に点灯されると、第１光である白色光の可視領域内波長の反射光に基づいた可視光データ群と、第２光である紫外線の可視領域内波長の蛍光に基づいた可視光外データ群とが、制御基板２０の画像データ生成部２０ａによって、例えば時分割による並行処理により生成される。この結果、複数の可視光データ群を集めることで第１光の白色光に基づく撮像手段１６の撮像センサ１６ｃによって撮像された撮像対象媒体Ｐの第１画像データが生成されると共に、複数の可視光外データ群を集めることで第２光の紫外線に基づく撮像手段１６の撮像センサ１６ｄによって撮像された撮像対象媒体Ｐの第２画像データが生成される。
【０１１０】
以上説明したように、撮像対象媒体Ｐの第１画像データと第２画像データとの双方を１回の走査で生成できる。言い換えれば、１回の走査で撮像対象媒体Ｐから可視領域内波長の光である白色光に基づいた撮像画像データと可視領域外波長の光である紫外線に基づいた撮像画像データとの双方を生成できる。この点については、前述の実施の形態１、２と同様である。
【０１１１】
また、前述の画像読取装置１０の参考例では、白基準板２１は、可視光冷陰極管１２ｅの白色光が照射されると、第１画像データの補正時に基準となる第１白基準データの更新に用いることができると共に、ブラックライト冷陰極管１４ｂの紫外線が照射されると、第２画像データの補正時に基準となる第２白基準データの更新に用いることができる。
【産業上の利用可能性】
【０１１２】
以上のように、本発明に係る画像読取装置は、撮像対象媒体の画像データを生成するのに有用であり、特に、１回の走査で撮像対象媒体から可視領域内波長の光に基づいた撮像画像データと可視領域外波長の光に基づいた撮像画像データとの双方を生成するのに有用である。
【図面の簡単な説明】
【０１１３】
【図１】実施の形態１に係る画像読取装置の概略を示す模式的な断面図である。
【図２】実施の形態１に係る画像読取装置の主要な構成を示すブロック図である。
【図３】実施の形態１に係る画像読取装置の動作手順の一例を示すフローチャートである。
【図４】実施の形態２に係る画像読取装置の概略を示す模式的な断面図である。
【図５】実施の形態２に係る画像読取装置の主要な構成を示すブロック図である。
【図６】実施の形態２に係る画像読取装置の動作手順の一例を示すフローチャートである。
【図７】実施の形態に係る画像読取装置の参考例の主要部分の概略を示す模式的な断面図である。
【図８】実施の形態に係る画像読取装置の参考例の主要な構成を示すブロック図である。
【符号の説明】
【０１１４】
１０    画像読取装置
１２    第１光源
１２ａ  ＲＬＥＤ（第１光源）
１２ｂ  ＧＬＥＤ（第１光源）
１２ｃ  ＢＬＥＤ（第１光源）
１２ｄ  白色ＬＥＤ（第１光源）
１４    第２光源
１４ａ  紫外線ＬＥＤ（第２光源）
１６    撮像手段
１６ａ  撮像センサ（撮像手段）
１６ｂ  撮像センサ（撮像手段）
１８    搬送手段
１８ａ  駆動ローラ（搬送手段）
１８ｂ  従ローラ（搬送手段）
１８ｃ  ＡＤＦモータ（搬送手段）
２０    制御基板（画像データ生成手段）
２０ａ  画像データ生成部（画像データ生成手段）
２１    白基準板
Ｐ      撮像対象媒体
【図１】
2009194519.tif 000003
【図２】
2009194519.tif 000004
【図３】
2009194519.tif 000005
【図４】
2009194519.tif 000006
【図５】
2009194519.tif 000007
【図６】
2009194519.tif 000008
【図７】
2009194519.tif 000009
【図８】
2009194519.tif 000010